(57)【要約】【課題】水を吸引する吸水ホースの先端に設けられたストレーナーに異物が接近することを抑制もしくは防止すること、あるいはストレーナーに付着した異物を除去することのできる吸水ホース用治具を提供する。【解決手段】ポンプの吸引口に接続された吸水ホースの吸引口側に濾過手段が設けられ、その濾過手段の外表面側に、ポンプによって加圧された加圧水を散布する吸水ホース用異物除去治具７において、濾過手段は、吸水ホースの外表面を覆うように設けられ、濾過手段の外表面側でかつ濾過手段の軸線方向におけるいずれか一方の端部側に設けられ、ポンプから加圧水が供給される容器と、濾過手段の外表面に沿って容器の壁面に形成され、加圧水を濾過手段側に吐出する複数の貫通孔１０とを備え、貫通孔１０の内壁面の母線と、貫通孔と隣り合う貫通孔の内壁面の母線とが、交差するように形成されている。【選択図】図１
2015006673.tif 000002
【特許請求の範囲】
【請求項１】
ポンプの吸引口に接続された吸水ホースの吸引口側に濾過手段が設けられ、その濾過手段の外表面側に、前記ポンプによって加圧された加圧水を散布する吸水ホース用異物除去治具において、
前記濾過手段は、前記吸水ホースの外表面を覆うように設けられ、
前記濾過手段の外表面側でかつ該濾過手段の軸線方向におけるいずれか一方の端部側に設けられ、前記ポンプから加圧水が供給される容器と、
前記濾過手段の外表面に沿って前記容器の壁面に形成され、前記加圧水を前記濾過手段側に吐出する複数の貫通孔と
を備え、
前記貫通孔の内壁面の母線と、該貫通孔と隣り合う貫通孔の内壁面の母線とが、交差するように形成されていることを特徴とする吸水ホース用異物除去治具。
【請求項２】
ポンプの吸引口に接続された吸水ホースの吸引口側に濾過手段が設けられ、その濾過手段の外表面側に、前記ポンプによって加圧された加圧水を散布する吸水ホース用異物除去治具において、
前記濾過手段は、前記吸水ホースの外表面を覆うように設けられ、
前記濾過手段の外表面側でかつ該濾過手段の軸線方向におけるいずれか一方の端部側に設けられ、前記ポンプから加圧水が供給される容器と、
前記濾過手段の外表面に沿って環状に配置され、前記加圧水を前記濾過手段側に吐出するように前記容器を貫通して形成された複数の貫通孔と
を備え、
前記複数の貫通孔のそれぞれが、該複数の貫通孔が配置された円周方向に沿って同一の方向に傾斜して形成されていることを特徴とする吸水ホース用異物除去治具。
【請求項３】
ポンプの吸引口に接続された吸水ホースの吸引口側に濾過手段が設けられ、その濾過手段の外表面側に、前記ポンプによって加圧された加圧水を散布する吸水ホース用異物除去治具において、
前記濾過手段は、前記吸水ホースの外表面を覆うように設けられ、
前記濾過手段の外表面側でかつ該濾過手段の軸線方向におけるいずれか一方の端部側に設けられ、前記ポンプから加圧水が供給される容器と、
前記濾過手段の外表面に沿って前記容器の壁面に形成され、前記加圧水を前記濾過手段側に吐出する複数の貫通孔と
を備え、
前記貫通孔における前記濾過手段側の開口面積が、容器の内部側の開口面積より小さく形成されていることを特徴とする吸水ホース用異物除去治具。
【請求項４】
前記貫通孔は、前記濾過手段側の開口部が、前記容器側の開口部より前記濾過手段の外表面側を向いて形成された第１貫通孔と、該第１貫通孔より前記濾過手段の外表面から離れた位置に形成された第２貫通孔とを含むことを特徴とする請求項１ないし３のいずれかに記載の吸水ホース用異物除去治具。
【発明の詳細な説明】
【技術分野】
【０００１】
この発明は、貯水された水を吸入する際に、吸入される水に異物が混入することを防止する濾過装置を備えた吸水ホースに取り付ける治具に関し、特に濾過装置に付着した異物を除去するもしくは濾過装置に異物が付着することを抑制もしくは防止するように水を吐出する吸水ホース用異物除去治具に関するものである。
【背景技術】
【０００２】
池などに貯水された水を吸入して、その吸入された水を被対象物に放射するように構成された吸水ホースは、池などに枯葉やゴミなどの異物が堆積していることにより、吸入する水と同時に異物が吸引されてしまいポンプなどが故障する可能性がある。そのため、吸入する水に混入した異物を除去するために、水を吸入する吸水部にフィルタやストレーナーなどの濾過装置が設けられている。
【０００３】
一方、吸水時には、濾過装置の近傍が負圧となるため、異物が濾過装置の表面に付着したり、濾過装置が目詰まりしたりすることにより、ポンプに過剰な負荷が生じてポンプが故障する可能性あるいはポンプの耐久性が低下する可能性がある。
【０００４】
特許文献１および特許文献２には、フィルタに付着した異物を除去するようにあるいは異物が付着しないように構成された装置が記載されている。特許文献１に記載された装置は、リザーバに浸漬され、リザーバの水を吸入するホースの開口部に設けられたフィルタに異物が付着することを抑制もしくは防止するように構成されている。その装置の構成を具体的に説明すると、ホースの開口部からフィルタを介して吸入された水を被対象物に送る管を分岐させて、その分岐された流路の開口部をフィルタの上方あるいは下方に配置することにより、フィルタの前面に放水するように構成されている。すなわち、分岐された流路から吐出される水の流動方向が、フィルタに吸入される水の流動方向に対して垂直となるように、分岐された流路の開口部が配置されている。そのため、フィルタに付着した異物を剥がすように、もしくはフィルタの近傍に浮遊する異物をフィルタに付着する以前に、フィルタに吸引される水流から外れるように、分岐された流路から水が吐出される。その結果、フィルタの目詰まりが生じることを抑制もしくは防止することができる。
【０００５】
また、特許文献２に記載された装置は、池の水を吸引して、その吸引された水に空気を混入した後に、再度池に水を戻すように構成されており、池の水を吸引する吸引部に円筒状のフィルタが設けられている。したがって、特許文献２に記載された装置は、一旦水を吸引する際に、池に浮遊する藻などがフィルタの表面に付着するためにポンプの負荷が増大したり、吸引される水量が低下したりする可能性があるため、吸引する圧力や吸引された水の流量に応じてフィルタの表面に付着した異物を除去するように構成されている。その装置の構成を具体的に説明すると、フィルタの軸線方向に沿って水が吐出されるようにフィルタの外面側に複数のノズル、より具体的には４つのノズルが設けられ、フィルタの異物を除去する場合に、そのノズルから水が吐出されるように構成されている。また、吸引部とポンプとの間および吐出部とポンプとの間の流路には複数の弁が設けられており、池の水を吸引して空気を混入させる場合、すなわち通常に動作させる場合と、フィルタに付着した異物を除去する場合とで、水が流動する流路を各弁によって選択的に切り替えるように構成されている。したがって、特許文献２に記載された装置は、フィルタの目詰まりが生じた場合には、一旦水を吸引することを停止して、フィルタの外面に向けて水をノズルから吐出することにより、フィルタに付着した異物を除去することができる。
【先行技術文献】
【特許文献】
【０００６】
【特許文献１】特表２００９−５１４６７０号公報
【特許文献２】特開２０００−２４４２１号公報
【発明の概要】
【発明が解決しようとする課題】
【０００７】
上述した各特許文献に記載された装置は、フィルタの近傍に水を吐出することにより、フィルタに付着した異物を除去することができ、あるいはフィルタに異物が付着することを抑制することができるものの、フィルタの近傍に吐出される水は、吐出部の軸線方向に沿って吐出されるために、複数の吐出部を設けた場合であっても、円周方向における吐出部同士の間に位置するフィルタの外面あるいは表面には、異物を除去するためあるいは異物の付着を抑制するための水流が発生しない可能性があった。
【０００８】
この発明は上述した事情を背景としてなされたものであって、水を吸引する吸水ホースの先端に設けられた濾過装置に異物が接近することを抑制もしくは防止すること、あるいは濾過装置に付着した異物を除去することのできる吸水ホース用異物除去治具を提供することを目的とするものである。
【課題を解決するための手段】
【０００９】
上記の目的を達成するために、請求項１の発明は、ポンプの吸引口に接続された吸水ホースの吸引口側に濾過手段が設けられ、その濾過手段の外表面側に、前記ポンプによって加圧された加圧水を散布する吸水ホース用異物除去治具において、前記濾過手段は、前記吸水ホースの外表面を覆うように設けられ、前記濾過手段の外表面側でかつ該濾過手段の軸線方向におけるいずれか一方の端部側に設けられ、前記ポンプから加圧水が供給される容器と、前記濾過手段の外表面に沿って前記容器の壁面に形成され、前記加圧水を前記濾過手段側に吐出する複数の貫通孔とを備え、前記貫通孔の内壁面の母線と、該貫通孔と隣り合う貫通孔の内壁面の母線とが、交差するように形成されていることを特徴とするものである。
【００１０】
請求項２の発明は、ポンプの吸引口に接続された吸水ホースの吸引口側に濾過手段が設けられ、その濾過手段の外表面側に、前記ポンプによって加圧された加圧水を散布する吸水ホース用異物除去治具において、前記濾過手段は、前記吸水ホースの外表面を覆うように設けられ、前記濾過手段の外表面側でかつ該濾過手段の軸線方向におけるいずれか一方の端部側に設けられ、前記ポンプから加圧水が供給される容器と、前記濾過手段の外表面に沿って環状に配置され、前記加圧水を前記濾過手段側に吐出するように前記容器を貫通して形成された複数の貫通孔とを備え、前記複数の貫通孔のそれぞれが、該複数の貫通孔が配置された円周方向に沿って同一の方向に傾斜して形成されていることを特徴とするものである。
【００１１】
請求項３の発明は、ポンプの吸引口に接続された吸水ホースの吸引口側に濾過手段が設けられ、その濾過手段の外表面側に、前記ポンプによって加圧された加圧水を散布する吸水ホース用異物除去治具において、前記濾過手段は、前記吸水ホースの外表面を覆うように設けられ、前記濾過手段の外表面側でかつ該濾過手段の軸線方向におけるいずれか一方の端部側に設けられ、前記ポンプから加圧水が供給される容器と、前記濾過手段の外表面に沿って前記容器の壁面に形成され、前記加圧水を前記濾過手段側に吐出する複数の貫通孔とを備え、前記貫通孔における前記濾過手段側の開口面積が、容器の内部側の開口面積より小さく形成されていることを特徴とするものである。
【００１２】
請求項４の発明は、請求項１ないし３のいずれかの発明において、前記貫通孔は、前記濾過手段側の開口部が、前記容器側の開口部より前記濾過手段の外表面側を向いて形成された第１貫通孔と、該第１貫通孔より前記濾過手段の外表面から離れた位置に形成された第２貫通孔とを含むことを特徴とする吸水ホース用異物除去治具である。
【発明の効果】
【００１３】
この発明によれば、ポンプの吸引口に接続された吸水ホースの吸引口側に濾過手段が設けられ、その濾過手段の外表面側に、ポンプによって加圧された加圧水を散布するので、濾過手段の外表面に付着した異物を除去することができ、あるいは濾過手段の外表面に異物が吸引されて接近することを抑制もしくは防止することができる。また、濾過手段は、吸水ホースの外表面を覆うように設けられ、その濾過手段の外表面側でかつ濾過手段の軸線方向におけるいずれか一方の端部側に、ポンプから加圧水が供給される容器が設けられ、加圧水を濾過手段側に吐出する複数の貫通孔が、濾過手段の外表面に沿って容器の壁面に形成されているので、濾過手段の外表面側に複数の貫通孔から加圧水が吐出されることにより、濾過手段の外表面に付着した異物を除去することができ、あるいは濾過手段の外表面に異物が吸引されて接近することを抑制もしくは防止することができる。
【００１４】
また、請求項１の発明によれば、貫通孔の内壁面の母線と、その貫通孔と隣り合う貫通孔の内壁面の母線とが、交差するように形成されているので、濾過手段の外表面を隙間無く囲うように、それぞれの貫通孔から吐出された加圧水の膜を形成することができる。そのため、より確実に濾過装置の外周側から異物が接近することを抑制もしくは防止すること、もしくは濾過装置の外周面に付着した異物を除去することができる。
【００１５】
さらに、請求項２の発明によれば、貫通孔が環状に配置されており、それぞれの貫通孔が、複数の貫通孔が配置された円周方向に沿って同一の方向に傾斜して形成されているので、各貫通孔から吐出される加圧水により発生する水流が螺旋状となり、その結果、請求項１の発明と同様に、濾過手段の外周を隙間無く囲うように水流を発生させることができる。そのため、より確実に濾過手段の外周側から異物が接近することを抑制もしくは防止すること、もしくは濾過手段の外周面に付着した異物を除去することができる。
【００１６】
また、請求項３の発明によれば、貫通孔における濾過手段側の開口面積が、容器の内部側の開口面積より小さく形成されているので、貫通孔から吐出される水の流速を増大させることができる。その結果、異物が多く堆積もしくは浮遊している場合に、濾過手段装置に異物が接近することをより効果的に抑制もしくは防止することができる。また、水流を増大させることにより、その水流に引きずられて円周方向における貫通孔同士の間に滞留する水にも吐出される水流と同一方向の流れが生じる可能性があり、その結果、請求項１および請求項２と同様に、濾過手段の外周を隙間無く囲うように水流を発生させることができる。そのため、より確実に濾過装置手段の外周側から異物が接近することを抑制もしくは防止すること、もしくは濾過手段の外周面に付着した異物を除去することができる。
【００１７】
そして、請求項４の発明によれば、貫通孔は、濾過手段側の開口部が、容器側の開口部より濾過手段側を向いて形成された第１貫通孔と、その第１貫通孔より濾過手段の外表面から離れた位置に形成された第２貫通孔とを含むので、第１貫通孔から吐出される加圧水によって発生する水流により濾過手段の外周面に付着した異物を除去し、かつ第２貫通孔から吐出される加圧水によって発生する水流により濾過手段に異物が接近することを抑制もしくは防止することができる。
【図面の簡単な説明】
【００１８】
【図１】ウォーターシャワー治具に形成された貫通孔の形状の一例を示す図である。
【図２】消防ポンプ自動車が消防水利から吸水している状態を示す図である。
【図３】消防水利の内部の状況を説明するための図である。
【図４】ウォーターシャワー治具から吐出された水により発生した水流の状態を示す模式図である。
【図５】ウォーターシャワー治具の構成を説明するための図であり、（ａ）は断面図であり、（ｂ）は底面図である。
【図６】吸水ホースおよび放水ホースがポンプに連結されている状態を示す図である。
【図７】ウォーターシャワー治具の使用方法およびその作用を説明するための図である。
【図８】吸水ホースを取り付ける他の構成を説明するための斜視図である。
【図９】ウォーターシャワー治具に形成された貫通孔の形状の他の例を示す図である。
【図１０】ウォーターシャワー治具に貫通孔が傾斜して形成された例を説明するための図である。
【図１１】ウォーターシャワー治具から吐出される水の流速を増大させるための貫通孔の形状の一例を示す図である。
【発明を実施するための形態】
【００１９】
つぎに、この発明に係る吸水ホース用異物除去治具の構成の一例について説明する。図２は、消防ポンプ自動車１が消防水利２から吸水している状態を示したものである。図２に示す消防ポンプ自動車１は、その消防ポンプ自動車１に搭載されたポンプによって池や河川などの消防水利２に吸水ホース３を浸漬させて水を汲み上げ、その汲み上げられた水を放水ホース４から放水して消火するものである。そのため、図３に示すように消防水利２に枯葉やゴミなどの異物５が堆積していると、吸水と同時に異物５が吸引されてポンプが故障してしまう可能性があるので、その吸水ホース３の吸引側の先端部には、異物５が吸水と同時に吸引されてしまうことを防止するため、すなわち被処理水を濾過するためのストレーナー６が設けられている。一方、ストレーナー６の近傍は、吸水することにより負圧となるので、異物５がストレーナー６の表面に付着してしまい、ポンプ圧が低下したり吸水量が低下してしまったりする可能性がある。そのため、この発明に係る吸水ホース用異物除去治具は、ストレーナー６に付着した異物５を除去したり、ストレーナー６に異物５が接近することを抑制もしくは防止することができるように構成されている。
【００２０】
図４は、この発明に係る吸水ホース用異物除去治具の構成を説明するための図であり、消防水利２に浸漬された吸水ホース３の先端部を覆うようにストレーナー６が設けられ、そのストレーナー６の外周面に水圧の膜ができるように放水するウォーターシャワー治具７が吸水ホース３の先端部と一体に形成されている。なお、図に示すウォーターシャワー治具７が、この発明における吸水ホース用異物除去治具に相当する。そのため、ウォーターシャワー治具７から加圧水を放水することにより、ストレーナー６の近傍にある異物５が水圧によってストレーナー６に接近することを抑制もしくは防止することができる。
【００２１】
図５は、そのウォーターシャワー治具７の構成を説明するための図である。図５に示すウォーターシャワー治具７は、ストレーナー６の上端部の外周を囲うように配置されている。ウォーターシャワー治具７は、円筒状に形成された取付部８と、その取付部８の下端部側の外周に形成された環状の流路９と、その環状の流路９の下方に円周方向に複数配置され、環状の流路の底面を貫通して形成された貫通孔１０とによって構成されている。
【００２２】
ここで、取付部８の構成を具体的に説明する。図５に示す例では、ストレーナー６の上方と吸水ホース３とを取り付けるストレーナー留金具１１が、ウォーターシャワー治具７における取付部８の上方に嵌合するように設けられている。すなわち、ストレーナー留金具１１は、上方がテーパ状に形成されており、そのテーパ部が嵌合するように取付部８の上方部が形成されている。具体的には、取付部８の下方側の開口部８ａがストレーナー６の外径より大きく形成され、取付部８の上方側の開口部８ｂが吸水ホース３の外径より大きくかつストレーナー留金具１１の外径のうち最大外径の部分より小さく形成されている。また、ウォーターシャワー治具７を吸水ホース３の上方側から下降させてストレーナー留金具１１と嵌合するように、取付部８の上方部は、テーパ状に形成されている。
【００２３】
そして、取付部８の下方側の外周面には、環状の流路９が形成されている。すなわち、取付部８の下方側の外周側に環状に形成されたケース１２を一体に形成し、そのケース１２の内部を環状の空間とすることにより、後述する第１放水ホース１３から供給された水が環状に流動する流路９が形成されている。また、その環状の流路９の下方側には、図５（ｂ）に示すように円周方向に複数の貫通孔１０が形成されている。すなわち、貫通孔１０から吐出されるあるいは散布される水によって発生する水流がストレーナー６の外周面を囲うように貫通孔１０が形成されている。なお、図５（ｂ）に示す例では、貫通孔１０が円周方向に一定の間隔を空けて配置されるように形成されているが、貫通孔１０同士の間隔が一定でなくても良く、あるいは同一円周上に形成されたものでなくてもよい。すなわち、この発明に係る吸水ホース用異物除去治具は、ストレーナー６の外周面を囲うように水が吐出されるように構成されていればよく、いわゆるシャワー状に水が吐出あるいは散布されていればよい。
【００２４】
つぎに、上記ウォーターシャワー治具７と吸水ホース３とを取り付ける構成について説明する。図５に示す例では、環状に形成されたケース１２の上方側に雌ネジ部１４が形成されている。具体的には、上方に開口した開口部１２ａがケース１２の円周方向における一部に形成され、その開口部１２ａと連通する円筒状の雌ネジ部１４がケース１２の上面と一体に形成されている。また、その雌ネジ部１４には、ホース接続金具１５の雌部材１５ａがネジ止めされ、そのホース接続金具１５の雌部材１５ａとホース接続金具１５の雄部材１５ｂとが嵌合あるいは係合される。なお、ホース接続金具１５の雄部材１５ｂの上端部は、第１放水ホース１３の先端部と一体に形成されている。したがって、第１放水ホース１３とウォーターシャワー治具７とは、ホース接続金具１５および雌ネジ部１４を介して連通されており、第１放水ホース１３から環状の流路９に水が供給されるように構成されている。
【００２５】
また、図６に示すように第１放水ホース１３の他方の先端部は消防ポンプ自動車１に接続され、消防ポンプ自動車１に吸入され加圧された加圧水が第１放水ホース１３に出力されるように構成されている。具体的には、消防ポンプ自動車１は、吸水ホース３が連結されるポートと、ウォーターシャワー治具７に加圧水を出力するための第１放水ホース１３が連結されるポートと、消火するために放水する放水ホース４（以下、第２放水ホース４と記す。）が連結されるポートとが形成されており、消防ポンプ自動車１によって吸入されて加圧された加圧水のうち一部の加圧水が第１放水ホース１３に出力され、他の加圧水が第２放水ホース４に出力されるように構成されている。
【００２６】
つぎに、図５に示すウォーターシャワー治具７の使用方法およびウォーターシャワー治具７の作用について図７を参照しつつ説明する。まず、ストレーナー６が取り付けられた吸水ホース３にウォーターシャワー治具７を取り付ける。すなわち、取付部８とストレーナー留金具１１とを嵌合もしくは係合させて、吸水ホース３とウォーターシャワー治具７とを連結する。つぎに、ホース接続金具１５を連結することによって、第１放水ホース１３をウォーターシャワー治具７に接続する。なお、ウォーターシャワー治具７と吸水ホース３とを取り付ける以前に、ウォーターシャワー治具７と第１放水ホース１３とを接続してもよい。ついで、吸水ホース３および第１放水ホース１３ならびにウォーターシャワー治具７を同時に消防水利２に投入する。
【００２７】
そして、消防ポンプ自動車１におけるポンプにより放水圧力を上げることにより、吸水ホース３が水を吸い上げ始める。そのため、第１放水ホース１３および第２放水ホース４に吸い上げられた水が出力され、その結果、第１放水ホース１３からウォーターシャワー治具７における環状の流路９に水が供給されるとともに水圧が掛かり始める。環状の流路９に掛かる水圧が消防水利２内の水圧以上となると、貫通孔１０から水がストレーナー６の外周面を囲うようにシャワー状に水が吐出される。その結果、ストレーナー６に付着した異物５を除去したり、ストレーナー６の近傍に堆積あるいは浮遊している異物５がストレーナー６に接近することを抑制もしくは防止することができる。
【００２８】
なお、ウォーターシャワー治具７と吸水ホース３とを取り付ける構成は、上述したものに限られず、要はウォーターシャワー治具７が吸水ホース３から吐出される水圧によって移動してしまうことを防止できればよい。図８にウォーターシャワー治具７と吸水ホース３とを取り付ける他の構成を示しており、図８に示すウォーターシャワー治具７は、図５に示す取付部８に相当する部分の上方側が円弧状の壁部８ａとなるように、すなわち図５に示す取付部８の上方側の一部が取り除かれた状態に形成されている。そして、その円弧状の壁部８ａの円周方向における端部には、図示しないヒンジが設けられており、そのヒンジに円弧状に形成された可動片８ｂが連結されている。言い換えると、可動片８ｂがヒンジによって回動できるように壁部８ａに連結されている。また、可動片８ｂおよび壁部８ａにおけるヒンジと連結されている側の端部とは反対側の端部に、可動片８ｂと壁部８ａとを固定および解放することができる固定部材１６が設けられている。
【００２９】
したがって、図８に示すウォーターシャワー治具７は、可動片８ｂと壁部８ａとを解放して可動片８ｂを壁部８ａから離れるように回動させることにより、可動片８ｂと壁部８ａとの間に形成された開口部を、ストレーナー６が通過することができる大きさとすることができ、吸水ホース３の外径より大きく形成されたストレーナー６を連結した状態であっても、ウォーターシャワー治具７を吸水ホース３に取り付けることができる。なお、固定部材１６によって可動片８ｂと壁部８ａとを固定すると同時に、ウォーターシャワー治具７と吸水ホース３とを固定することができるように、上記可動片８ｂと壁部８ａとを固定部材１６によって固定した状態での可動片８ｂと壁部８ａとにより形成される開口部の外径が、吸水ホース３の外径より若干小さくなるように構成することが好ましい。
【００３０】
さらに、ウォーターシャワー治具７の円周方向における貫通孔１０同士の間であっても、異物５が接近することを抑制もしくは防止するための水圧が作用するように構成されている。図１は、その構成を説明するための図である。貫通孔１０は、図１に示すようにウォーターシャワー治具７の端部に、各貫通孔１０同士が円周方向に等間隔に形成されている。また、各貫通孔１０は、テーパ状に形成されており、隣り合う貫通孔１０，１０同士の内壁面の母線が交差するように形成されている。さらに、貫通孔１０の吐出側の開口面積が、ウォーターシャワー治具７の上方側、すなわち環状に形成された流路９側の開口面積より大きくなるように形成されている。
【００３１】
図１に示すように貫通孔１０を形成することにより、各貫通孔１０から吐出される水は、貫通孔１０を流動している過程で、内壁面側の圧力が貫通孔の軸線上の圧力より低くなるので、貫通孔１０の内壁面に沿ってテーパ状に広がる。そのため、隣り合う貫通孔１０から吐出された水により発生する水流同士が重なり合うので、ストレーナー６の外周を囲うように円周方向に隙間無く水流を発生させることができ、その結果、異物５が円周方向における貫通孔１０が形成されていない箇所からストレーナー６に接近もしくは付着することを抑制もしくは防止することができる。
【００３２】
図９は、図１に示す貫通孔１０の形状の他の例を示したものであり、貫通孔１０の各開口部は楕円状に形成され、その開口部の長軸がウォーターシャワー治具７の円周方向に沿うように配置されている。また、図９に示す貫通孔１０は、ウォーターシャワー治具７の端部に、各貫通孔１０同士が円周方向に等間隔に形成されている。さらに、吐出側の開口部の円周方向における長さが、環状の流路９側の開口部の長さより長くなるように形成されている。すなわち、貫通孔１０は、環状の流路９側から吐出側へ長軸の長さが徐々に長くなるように形成され、隣り合う貫通孔１０，１０同士の内壁面の母線が交差するように形成されている。そのため、図９に示すように貫通孔１０を形成することにより、図１に示す貫通孔１０と同様に、各貫通孔１０から吐出される水は、広がりながら吐出されるため、隣り合う貫通孔１０から吐出された水により発生する水流同士が重なり合うので、ストレーナー６の外周を囲うように円周方向に隙間無く水流を発生させることができ、その結果、異物５が円周方向における貫通孔１０が形成されていない箇所からストレーナー６に接近もしくは付着することを抑制もしくは防止することができる。
【００３３】
なお、図９では、開口部の形状が楕円のものを例に挙げて説明したが、この発明に係る吸水ホース用異物除去治具は、要はストレーナー６の外周側に隙間無く水流を発生させるように水を吐出することができればよいので、開口部が長円の形状のものであってもよい。また、ウォーターシャワー治具７の円周方向に沿った軸長が吐出側の方が環状の流路９側の軸長より長く形成されていれば良く、したがって、半径方向の長さも同様に変化するものであってもよい。さらに、上述した例では、貫通孔１０が同一円周上に配置されたもののみ示しているが、ウォーターシャワー治具７の内周側と外周側とのそれぞれに貫通孔１０を形成し、内周側の貫通孔を半径方向における内周側に向けて形成することにより、内周側の貫通孔から吐出される水によって発生した水流が、ストレーナー６の外周面に付着した異物５を除去するように構成したものであってもよい。
【００３４】
図１および図９に示す貫通孔１０の形状は、隣り合う貫通孔１０から吐出された水流と交差させることにより、ストレーナー６の外周側に隙間無くウォーターシャワー治具７から吐出された水流を発生させるように構成されているが、図１０に示すように各貫通孔１０の傾きを変化させることにより、ストレーナー６の外周側にらせん状の水流を発生させるように構成してあってもよい。ここで、図１０に示す貫通孔１０の形状を具体的に説明すると、図１０に示す例では、内周側と外周側とのそれぞれの円周方向に沿って貫通孔１０ａ，１０ｂが複数形成されている。なお、貫通孔１０ａがこの発明の「第１貫通孔」に相当し、貫通孔１０ｂがこの発明の「第２貫通孔」に相当する。各貫通孔１０ａ，１０ｂは、円周方向において等間隔に形成されている。さらに、内周側に形成されたそれぞれの貫通孔１０ａは、環状の流路９側の開口部より吐出側の開口部が内周側を向いて形成され、かつ各貫通孔１０ａは、環状の流路９側の開口部より吐出側の開口部が円周方向における時計回り方向に傾斜して形成されている。すなわち、内周側に形成された各貫通孔１０ａから吐出される水流によって、ストレーナー６の外周側にらせん状の水流を発生させ、かつストレーナー６の外周面に沿って、あるいは接触するように水流が発生するように形成されている。
【００３５】
また、外周側に形成されたそれぞれの貫通孔１０ｂは、環状の流路９側の開口部より吐出側の開口部が外周側を向いて形成され、かつ各貫通孔１０ｂは、環状の流路９側の開口部より吐出側の開口部が円周方向における反時計回り方向に傾斜して形成されている。すなわち、外周側に形成された各貫通孔１０ｂから吐出される水流によって、内周側に形成された各貫通孔１０ａから水が吐出されることにより発生するらせん状の水流より外周側に、内周側に発生した水流と反対方向に流動するらせん状の水流を発生させるように形成されている。
【００３６】
したがって、図１０に示すように貫通孔１０を形成することによって、ストレーナー６の外周面に付着した異物５を内周側に形成された貫通孔１０ａから吐出される水によって発生した水流により除去することができるとともに、外周側に形成された貫通孔１０ｂから吐出される水によって発生した水流により異物５がストレーナー６に接近することを抑制もしくは防止することができる。また、内周側および外周側に形成された貫通孔１０ａ，１０ｂから吐出される水によって発生させられる水流は、いずれもらせん状となるので、ストレーナー６の外周側を囲うように隙間無く水流を発生させることができる。
【００３７】
上述した各貫通孔１０の形状は、貫通孔１０から吐出される水流がストレーナー６の外周を隙間無く囲うように形成されているが、水流の流速を増加させることによって、ストレーナー６に異物５が付着することあるいは異物５が接近することを抑制もしくは防止することができる。図１１は、吐出される水流の流速を増大させるための貫通孔１０の形状を示したものである。図１１に示す貫通孔１０は、図１や図９に示す貫通孔１０と同様に円周方向において等間隔に形成されている。また、各貫通孔１０は、環状の流路９側の開口部および吐出側の開口部が円形に形成されている。さらに、貫通孔１０は、テーパ状に形成されており、吐出側の開口部の開口面積が、環状の流路９側の開口部の開口面積より小さく形成されている。したがって、貫通孔１０から吐出される水流の流速を、図１や図９と比較して増大させることができる。このように水流の流速を増大させることにより、異物５が多く堆積もしくは浮遊している場合に、ストレーナー６に異物５が接近することをより効果的に抑制もしくは防止することができる。また、水流を増大させることにより、その水流に引きずられて円周方向における貫通孔１０同士の間に滞留する水にもウォーターシャワー治具７から吐出される水流と同一方向の流れが生じる可能性があり、その結果、ストレーナー６の外周を囲うように隙間無く水流を発生させて、ストレーナー６に異物５が接近することを抑制もしくは防止することができる。
【００３８】
なお、図１１に示す例は、貫通孔１０が同一円周上に配置されたもののみ示しているが、ウォーターシャワー治具７の内周側と外周側とのそれぞれに貫通孔１０を形成し、内周側の貫通孔を半径方向における内周側に向けて形成することにより、内周側の貫通孔から吐出される水によって発生した水流が、ストレーナー６の外周面に付着した異物５を除去するように構成したものであってもよい。
【００３９】
また、図１１に示すように吐出側の開口部の開口面積を、環状の流路９側の開口部の開口面積より小さく形成し、かつ図１０に示すように貫通孔から吐出される水の水流がらせん状となるように、各貫通孔を軸線方向に対して傾斜して形成してもよい。このように形成することによって、水流の流速を増大させ、かつらせん状に水流を発生させることにより、ストレーナー８に付着した異物５を除去することができ、あるいはストレーナー６に異物５が接近することを抑制もしくは防止することができる。
【００４０】
なお、この発明に係る吸水ホース用異物除去治具は、ストレーナー６の外周側を囲うように水流を発生させることができれば良いので、ウォーターシャワー治具７の取り付け構造や第１放水ホース１３の接続構造などは上述した構成に限定されない。また、上述した例では、第１放水ホース１３がウォーターシャワー治具７に一つのみ連結され、第１放水ホース１３から供給された水が環状に流動するように環状の流路９を形成するように構成したが、ウォーターシャワー治具７に水を供給するホースを複数設けたものであってもよい。さらに、この発明に係る吸水ホース用異物除去治具は、消防によるものに限らず、要は貯水された水を吸引し、かつ吸引する水に異物が混入しないようにフィルタやストレーナーを設けたものであればよい。
【符号の説明】
【００４１】
１…消防ポンプ自動車、  ３…吸水ホース、  ５…異物、  ６…ストレーナー、  ７…ウォーターシャワー治具、  ９…流路、  １０…貫通孔、  １３…第１放水ホース。
【図１】
2015006673.tif 000003
【図２】
2015006673.tif 000004
【図３】
2015006673.tif 000005
【図４】
2015006673.tif 000006
【図５】
2015006673.tif 000007
【図６】
2015006673.tif 000008
【図７】
2015006673.tif 000009
【図８】
2015006673.tif 000010
【図９】
2015006673.tif 000011
【図１０】
2015006673.tif 000012
【図１１】
2015006673.tif 000013
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
ポンプの吸引口に接続された吸水ホースの吸引口側を覆い、かつ外周面から吸水する濾過手段が設けられ、その濾過手段の外周面側に、前記ポンプによって加圧された加圧水を散布する吸水ホース用異物除去治具において、
前記濾過手段の軸線方向におけるいずれか一方の端部側に、該濾過手段の外径よりも内径が大きく形成され、かつ前記ポンプから加圧水が供給される環状の容器を備え、
前記容器には、前記濾過手段の外周面と隙間を空けてかつ該濾過手段を囲って水圧の膜を形成するように、前記濾過手段の軸線方向に加圧水を噴出する複数の貫通孔が形成されている
ことを特徴とする吸水ホース用異物除去治具。
【請求項２】
前記貫通孔における前記濾過手段側の開口面積が、前記容器の内部側の開口面積より小さく形成されていることを特徴とする請求項１に記載の吸水ホース用異物除去治具。
【請求項３】
前記複数の貫通孔のうちのいずれかの貫通孔から噴出される加圧水の流線と、該貫通孔と隣り合う貫通孔から噴出される加圧水の流線とが、前記濾過手段の円周方向において交差するように構成されていることを特徴とする請求項１に記載の吸水ホース用異物除去治具。
【請求項４】
前記複数の貫通孔のそれぞれが、前記容器の円周方向における同一の方向に傾斜して形成されていることを特徴とする請求項１に記載の吸水ホース用異物除去治具。
【請求項５】
前記容器には、前記複数の貫通孔よりも該容器の半径方向における内側に他の貫通孔が形成され、
前記他の貫通孔は、前記濾過手段の外周面に向けて加圧水を噴出するように前記濾過手段側の開口部が前記容器の内部側の開口部よりも前記容器の半径方向における内側を向いて形成されている
ことを特徴とする請求項１ないし４のいずれかに記載の吸水ホース用異物除去治具。
【手続補正２】
【補正対象書類名】明細書
【補正対象項目名】０００８
【補正方法】変更
【補正の内容】
【０００８】
この発明は上述した事情を背景としてなされたものであって、水を吸引する吸水ホースの先端に設けられた濾過装置に異物が接近することを抑制もしくは防止することのできる吸水ホース用異物除去治具を提供することを目的とするものである。
【手続補正３】
【補正対象書類名】明細書
【補正対象項目名】０００９
【補正方法】変更
【補正の内容】
【０００９】
上記の目的を達成するために、請求項１の発明は、ポンプの吸引口に接続された吸水ホースの吸引口側を覆い、かつ外周面から吸水する濾過手段が設けられ、その濾過手段の外周面側に、前記ポンプによって加圧された加圧水を散布する吸水ホース用異物除去治具において、前記濾過手段の軸線方向におけるいずれか一方の端部側に、該濾過手段の外径よりも内径が大きく形成され、かつ前記ポンプから加圧水が供給される環状の容器を備え、前記容器には、前記濾過手段の外周面と隙間を空けてかつ該濾過手段を囲って水圧の膜を形成するように、前記濾過手段の軸線方向に加圧水を噴出する複数の貫通孔が形成されていることを特徴とするものである。
【手続補正４】
【補正対象書類名】明細書
【補正対象項目名】００１０
【補正方法】変更
【補正の内容】
【００１０】
請求項２の発明は、請求項１の発明において、前記貫通孔における前記濾過手段側の開口面積が、前記容器の内部側の開口面積より小さく形成されていることを特徴とする吸水ホース用異物除去治具である。
【手続補正５】
【補正対象書類名】明細書
【補正対象項目名】００１１
【補正方法】変更
【補正の内容】
【００１１】
請求項３の発明は、請求項１の発明において、前記複数の貫通孔のうちのいずれかの貫通孔から噴出される加圧水の流線と、該貫通孔と隣り合う貫通孔から噴出される加圧水の流線とが、前記濾過手段の円周方向において交差するように構成されていることを特徴とする吸水ホース用異物除去治具である。
【手続補正６】
【補正対象書類名】明細書
【補正対象項目名】００１２
【補正方法】変更
【補正の内容】
【００１２】
請求項４の発明は、請求項１の発明において、前記複数の貫通孔のそれぞれが、前記容器の円周方向における同一の方向に傾斜して形成されていることを特徴とする吸水ホース用異物除去治具である。
請求項５の発明は、請求項１ないし４のいずれかの発明において、前記容器には、前記複数の貫通孔よりも該容器の半径方向における内側に他の貫通孔が形成され、前記他の貫通孔は、前記濾過手段の外周面に向けて加圧水を噴出するように前記濾過手段側の開口部が前記容器の内部側の開口部よりも前記容器の半径方向における内側を向いて形成されていることを特徴とする吸水ホース用異物除去治具である。
【手続補正７】
【補正対象書類名】明細書
【補正対象項目名】００１３
【補正方法】変更
【補正の内容】
【００１３】
請求項１の発明によれば、ポンプの吸引口に接続された吸水ホースの吸引口側を覆い、外周面から吸水する濾過手段が設けられ、その濾過手段の外周面側に、ポンプによって加圧された加圧水を散布するので、濾過手段の外周面に異物が吸引されて接近することを抑制もしくは防止することができる。また、濾過手段の軸線方向におけるいずれか一方の端部側に、濾過手段の外径よりも内径が大きく形成され、かつポンプから加圧水が供給される容器が設けられ、その容器には、濾過手段の外周面と隙間を空けてかつ濾過手段を囲って水圧の膜を形成するように、濾過手段の軸線方向に加圧水を噴出する複数の貫通孔が形成されているので、複数の貫通孔から加圧水が噴出されることにより、濾過手段の外周面に異物が吸引されて接近することを抑制もしくは防止することができる。
【手続補正８】
【補正対象書類名】明細書
【補正対象項目名】００１４
【補正方法】変更
【補正の内容】
【００１４】
また、請求項２の発明によれば、貫通孔における濾過手段側の開口面積が、容器の内部側の開口面積より小さく形成されているので、貫通孔から噴出される水の流速を増大させることができる。その結果、異物が多く堆積もしくは浮遊している場合に、濾過手段に異物が接近することをより効果的に抑制もしくは防止することができる。また、水流を増大させることにより、その水流に引きずられて円周方向における貫通孔同士の間に滞留する水にも噴出される水流と同一方向の流れが生じる可能性があり、その結果、濾過手段の外周を隙間無く囲うように水流を発生させることができる。そのため、より確実に濾過手段の外周側から異物が接近することを抑制もしくは防止することができる。
【手続補正９】
【補正対象書類名】明細書
【補正対象項目名】００１５
【補正方法】変更
【補正の内容】
【００１５】
さらに、請求項３の発明によれば、複数の貫通孔のうちのいずれかの貫通孔から噴出される加圧水の流線と、その貫通孔と隣り合う貫通孔から噴出される加圧水の流線とが、濾過手段の円周方向において交差するように構成されている。そのため、より確実に濾過手段の外周側から異物が接近することを抑制もしくは防止することができる。
【手続補正１０】
【補正対象書類名】明細書
【補正対象項目名】００１６
【補正方法】変更
【補正の内容】
【００１６】
また、請求項４の発明によれば、複数の貫通孔のそれぞれが、容器の円周方向における同一の方向に傾斜して形成されているので、各貫通孔から噴出される加圧水により発生する水流が螺旋状となり、その結果、濾過手段の外周を隙間無く囲うように水流を発生させることができる。そのため、より確実に濾過手段の外周側から異物が接近することを抑制もしくは防止すること、もしくは濾過手段の外周面に付着した異物を除去することができる。
【手続補正１１】
【補正対象書類名】明細書
【補正対象項目名】００１７
【補正方法】変更
【補正の内容】
【００１７】
そして、請求項５の発明によれば、容器には、複数の貫通孔よりも容器の半径方向における内側に他の貫通孔が形成され、他の貫通孔は、濾過手段の外周面に向けて加圧水を噴出するように濾過手段側の開口部が容器の内部側の開口部よりも容器の半径方向における内側を向いて形成されている。そのため、他の貫通孔から噴出される加圧水によって発生する水流により濾過手段の外周面に付着した異物を除去し、かつ前記貫通孔から噴出される加圧水によって発生する水流により濾過手段に異物が接近することを抑制もしくは防止することができる。